(57)【要約】【課題】情報プレートの薄型化を図りつつ、情報プレートを安定して保持することができると共に、情報プレートの着脱を容易に行うことができる情報掲示装置を提供する。【解決手段】情報が表記された情報プレート２と、情報プレート２を着脱可能に保持する保持具１とを有する情報掲示装置において、縦向きに設けられた一辺２３ｂと、一辺２３ｂの下端に一辺２３ｂと鈍角をなして設けられ、情報プレート２の周縁にその一端が開口する他辺２３ａとからなる略Ｌ字形を有する切欠き部２３を情報プレート２に設けているから、切欠き部２３をガイドにして情報プレート２を保持具１に対して相対移動させることにより、情報プレート２の着脱を容易に行うことができる。切欠き部２３の一辺２３ｂを縦向きに設けているから、例えば、情報プレート２に力が加わった場合にも、情報プレート２を安定して保持具１に保持することができる。【選択図】図２
0003145623.tif 000002
【実用新案登録請求の範囲】
【請求項１】
情報が表記された情報プレートと、該情報プレートを着脱可能に保持する保持具とを備える情報掲示装置において、前記保持具は、離隔して互いに対向する保持板と、該保持板間に架設されたピンとを備えており、前記情報プレートには、該情報プレートを前記ピンに掛止すべく、該ピンに係合する切欠き部が設けてあり、該切欠き部は、縦向きに設けられた一辺と、該一辺の下端に前記一辺と鈍角をなして設けられ、前記情報プレートの周縁にその一端が開口する他辺とからなる略Ｌ字形を有することを特徴とする情報掲示装置。
【請求項２】
前記切欠き部の前記一端の側は、前記周縁に向けて広くなるテーパ形状を有していることを特徴とする請求項１に記載の情報掲示装置。
【考案の詳細な説明】
【技術分野】
【０００１】
本考案は、パチンコ店等の遊技場において、広告等の情報が表記された情報プレートと、該情報プレートを保持する保持具とを備える情報掲示装置に関する。
【背景技術】
【０００２】
パチンコ店等の遊技場において、一般に、遊技場の広告、遊技機の紹介等の情報が表記された情報プレートが、遊技客の目に留まりやすい場所、例えば、パチンコ機の上方に設けられたパチンコ玉を流すレール、パチンコ機の金枠等の固定部材に取付けてある。この情報プレートは、適宜取替可能なように、固定部材に予め固定された保持具に着脱可能に保持してある（特許文献１参照）。
【０００３】
特許文献１に記載の保持具は、固定板と、該固定板から互いに近接する方向に突設された可撓性を有する２つの挟持部とを備え、これら２つの挟持部間に情報プレートを差し込み、該情報プレートを挟持して保持するように構成してある。
【特許文献１】実用新案登録第３１１６４２１号公報
【考案の開示】
【考案が解決しようとする課題】
【０００４】
しかしながら、特許文献１においては、可撓性を有する２つの挟持部を弾性変形させつつ該挟持部間に差し込まれた情報プレートを、挟持部が元の状態に戻ろうとする復元力により挟持するように構成してあるから、情報プレートの装着及び取り外しの際に挟持部を弾性変形させる力が必要になる。そして、情報プレートは、営業中、即ち遊技客がパチンコ機の前に座っている状態において取替がなされる場合が多く、情報プレートを挟持する保持具の場合、情報プレートに力を加える必要があるため、店員が情報プレートの取替作業をし難いという問題があった。また挟持部により挟持される情報プレートは、挟持部への着脱及び保持の際に情報プレートに作用する力に応じた強度を確保すべく厚みが必要であった。このため、適宜取替られる情報プレートを薄型化して省資源化を図ると共に、コストを低減したいという要望があった。
【０００５】
本考案は斯かる事情に鑑みてなされたものであり、主たる目的は、情報プレートに、縦向きに設けられた一辺と、該一辺の下端に前記一辺と鈍角をなして設けられ、情報プレートの周縁にその一端が開口する他辺とからなる略Ｌ字形を有する切欠き部を設けることにより、情報プレートの薄型化を図りつつ、情報プレートを安定して保持具に保持することができると共に、情報プレートの着脱を容易に行うことができる情報掲示装置を提供することにある。
【０００６】
また他の目的は、切欠き部の一端の側を情報プレートの周縁に向けて広くなるテーパ形状にすることにより、情報プレートの着脱を更に容易に行うことができる情報掲示装置を提供することにある。
【課題を解決するための手段】
【０００７】
本考案に係る情報掲示装置は、情報が表記された情報プレートと、該情報プレートを着脱可能に保持する保持具とを備える情報掲示装置において、前記保持具は、離隔して互いに対向する保持板と、該保持板間に架設されたピンとを備えており、前記情報プレートには、該情報プレートを前記ピンに掛止すべく、該ピンに係合する切欠き部が設けてあり、該切欠き部は、縦向きに設けられた一辺と、該一辺の下端に前記一辺と鈍角をなして設けられ、前記情報プレートの周縁にその一端が開口する他辺とからなる略Ｌ字形を有することを特徴とする。
【０００８】
この考案にあっては、縦向きに設けられた一辺と、該一辺の下端に前記一辺と鈍角をなして設けられ、前記情報プレートの周縁にその一端が開口する他辺とからなる略Ｌ字形を有する切欠き部を情報プレートに設けて、該切欠き部に保持具の保持板間に架設されたピンを係合させて情報プレートを保持具に掛止するように構成してあるから、このように設けられた切欠き部をガイドにして情報プレートを保持具に対して相対移動させることにより、切欠き部と保持具のピンとの係合及び係合解除を容易に行うことができ、情報プレートの着脱を容易に行うことができる。切欠き部の一辺を縦向きに設けているから、情報プレートを安定して保持具に保持することができる。また、情報プレートはピンに引っ掛けて保持具に保持されているから、情報プレートは自重に応じた強度を有していればよく、情報プレートを薄型化することができる。この結果、省資源化を図ることができると共に、コストを低減することができる。
【０００９】
本考案に係る情報掲示装置は、前記切欠き部の前記一端の側は、前記周縁に向けて広くなるテーパ形状を有していることを特徴とする。
【００１０】
この考案にあっては、切欠き部の一端の側を情報プレートの周縁に向けて広くなるテーパ形状にしてあるから、情報プレートの着脱を更に容易に行うことができる。
【考案の効果】
【００１１】
本考案によれば、情報プレートの薄型化を図りつつ、情報プレートを安定して保持することができると共に、情報プレートの着脱を容易に行うことができる。
【００１２】
また本考案によれば、情報プレートの着脱を更に容易に行うことができる。
【考案を実施するための最良の形態】
【００１３】
以下、本考案をその実施の形態を示す図面に基づいて詳述する。図１は、本考案に係る情報掲示装置の外観斜視図であり、図２は、情報掲示装置の分解斜視図である。図３は、図１の III−III 線による断面図である。
【００１４】
図において１は、保持具である。保持具１は、固定部材１００に固定される矩形状の固定板１１を有している。固定板１１には、図３に示すように、適長離隔して互いに対向するように保持板１２，１２が立設してある。保持板１２，１２間には、固定板１１と適長離隔した位置に円柱状のピン１３が架設してある。保持具１は、ポリカーボネート樹脂製であり、一体成形してある。
【００１５】
この保持具１には、情報プレート２が保持される。情報プレート２は、円板状の表示部２１と、該表示部２１の一部に延設された矩形状の掛止部２２とを有している。表示部２１には、遊技場の広告、遊技機の紹介等の情報が片面又は両面に表記されている。掛止部２２には、保持具１のピン１３に係合する切欠き部２３が設けてある。図４は、情報プレート２の掛止部２２近傍の拡大図である。
【００１６】
切欠き部２３は、図４に示すように、掛止部２２の一端縁２２ａに平行をなして（図において縦向きに）設けられた一辺２３ｂと、該一辺２３ｂの下端に一辺２３ｂと鈍角をなして（図において斜め下方に）延び、掛止部２２の一端縁２２ａの中途にその一端が開口する他辺２３ａとからなる略Ｌ字形を有している。他辺２３ａは、図４に示すように、掛止部２２の一端縁２２ａに向けて幅が広くなるテーパ形状を有している。情報プレート２は、塩化ビニル樹脂製であり、例えば、約０．３（ｍｍ）の厚みに形成してある。
【００１７】
前述した保持具１は、接着剤、両面テープ等を用いて、保持板１２，１２が上下方向に、ピン１３が水平方向に沿うように位置決めをして、図２に示すように、パチンコ機の上方に設けられたパチンコ玉を流すレール、パチンコ機の金枠等の固定部材１００に固定板１１の一面にて予め固着してある。この状態において、図２中に矢符にて示すように、情報プレート２を保持具１の斜め上方から斜め下方に切欠き部２３の他辺２３ａをガイドにしつつ保持具１に対して相対移動させてピン１３に差し込み、切欠き部２３の一辺２３ｂをガイドにしつつ更に相対移動させて、ピン１３に切欠き部２３の一辺２３ｂの上端にて係合させることにより、情報プレート２が保持具１に掛止されることになる。これにより、図１に示すように、情報プレート２が保持具１に装着され、固定部材１００に取付けられる。
【００１８】
一方、情報プレート２を保持具１から取り外す場合、前述した装着の場合と同様に、切欠き部２３をガイドにしつつ情報プレート２を保持具１に対して相対移動させる。これにより、ピン１３と切欠き部２３との係合が解除され、情報プレート２と保持具１との掛止が解除されて情報プレート２が保持具１から取り外されることになる。
【００１９】
以上の本考案に係る情報掲示装置においては、縦向きに設けられた一辺２３ｂと、該一辺２３ｂの下端に一辺２３ｂと鈍角をなして設けられ、情報プレート２の掛止部２２の一端縁２２ａにその一端が開口する他辺２３ａとからなる略Ｌ字形を有する切欠き部２３を情報プレート２の掛止部２２に設けて、切欠き部２３に保持具１の保持板１２，１２間に架設されたピン１３を係合させて情報プレート２を保持具１に掛止するように構成してあるから、前述した如く、切欠き部２３をガイドにして情報プレート２を保持具１に対して相対移動させることにより、切欠き部２３と保持具１のピン１３との係合及び係合解除を容易に行うことができ、情報プレート２の着脱を容易に行うことができる。また、切欠き部２３の一端の側を情報プレート２の掛止部２２の一端縁２２ａに向けて広くなるテーパ形状にしてあるから、情報プレート２の着脱を更に容易に行うことができる。
【００２０】
切欠き部２３の一辺２３ｂを掛止部２２の一端縁２２ａと略平行をなす縦向きに設けてあるから、例えば、情報プレート２に人が触れる等により情報プレート２に力が加わって情報プレート２が揺動した場合にも、情報プレート２の切欠き部２３と保持具１のピン１３との係合を保持することができ、情報プレート２を安定して保持具１に保持することができる。また、情報プレート２はピン１３に引っ掛けて保持具１に保持されているから、情報プレート２は自重に応じた強度を有していればよく、情報プレート２を薄型化することができる。この結果、省資源化を図ることができると共に、コストを低減することができる。
【００２１】
なお、以上の本考案においては、切欠き部２３の一端の側が掛止部２２の一端縁２２ａに向けて広くなるように切欠き部２３を形成しているが、幅を変化させることは必須ではなく、情報プレート２に縦向きに設けられた一辺２３ｂと、該一辺２３ｂの下端に一辺２３ｂと鈍角をなして設けられ、情報プレート２の掛止部２２の一端縁２２ａにその一端が開口する他辺２３ａとからなる略Ｌ字形を有するように切欠き部２３を形成していればよい。
【００２２】
また、以上の本考案において、保持具１をポリカーボネート樹脂製とし、情報プレート２を塩化ビニル樹脂製としているが、これに限定されず、他の樹脂製でもよいし、金属製でもよい。
【００２３】
さらに、本考案は、実用新案登録請求の範囲に記載した事項の範囲内において種々変更した形態にて実施することが可能であることは言うまでもない。
【図面の簡単な説明】
【００２４】
【図１】本考案に係る情報掲示装置の外観斜視図である。
【図２】情報掲示装置の分解斜視図である。
【図３】図１の III−III 線による断面図である。
【図４】情報プレートの掛止部近傍の拡大図である。
【符号の説明】
【００２５】
１  保持具
１２  保持板
１３  ピン
２  情報プレート
２２  掛止部
２３  切欠き部
【図１】
0003145623.tif 000003
【図２】
0003145623.tif 000004
【図３】
0003145623.tif 000005
【図４】
0003145623.tif 000006